(57)【要約】【課題】  組立式架台を、組立、移動等における取り扱いが簡単で、コンパクトな状態で保管できるようにする。【解決手段】  組立式架台８０が、前後左右の脚部１１，１２，２１，２２と、脚部１１，１２，２１，２２の下部間を互いに略平行に前後に結合する下部連結部１３，２３と、脚部１１，１２，２１，２２を各々互いに略平行に左右に結合する上部連結部３１，４１とから構成されるフレーム部材５０，７０からなり、フレーム部材５０上にフレーム部材７０が積み重ねられた状態で、フレーム部材７０の下部連結部１３，２３間の距離が短くなるように脚部１１，１２，２１，２２が弾性変形した状態でフレーム部材５０によりフレーム部材７０が左右方向に挟持され、フレーム部材５０の上部連結部３１，４１間の距離が長くなるように脚部１１，１２，２１，２２が弾性変形した状態でフレーム部材５０によりフレーム部材７０が前後方向に挟持される。【選択図】  図２
0003116892.tif 000002
【実用新案登録請求の範囲】
【請求項１】
略上下に延びる前後左右の脚部と、前記脚部の下部間を互いに略平行に前後に結合する一対の下部連結部と、前記脚部の上部間を互いに略平行に左右に結合する一対の上部連結部とから構成される弾性を有する複数のフレーム部材からなり、
一方の前記フレーム部材の前記一対の上部連結部上に他方の前記フレーム部材の前記一対の下部連結部を架け渡して載置することにより複数の前記フレーム部材が積み重ねられる組立式架台であって、
前記前後左右の脚部の上部に、前記一方のフレーム部材上に積み重ねられた前記他方のフレーム部材を挟持する前後左右の挟持部が形成され、
前記一方のフレーム部材上に前記他方のフレーム部材が積み重ねられた状態で、
前記他方のフレーム部材の前記一対の下部連結部間の距離が短くなるように前記他方のフレーム部材の前記前後左右の脚部が弾性変形した状態で前記一方のフレーム部材の前記前後左右の挟持部により前記他方のフレーム部材が左右方向に挟持され、
前記一方のフレーム部材の前記一対の上部連結部間の距離が長くなるように前記一方のフレーム部材の前記前後左右の脚部が弾性変形した状態で前記一方のフレーム部材の前記前後左右の挟持部により前記他方のフレーム部材が前後方向に挟持されることにより、
前記他方のフレーム部材が前記一方のフレーム部材に固定されることを特徴とする組立式架台。
【請求項２】
前記前後の脚部の上部間の長さが前記前後の脚部の下部間の長さよりも長くなるように、前記前後左右の脚部が斜め下方に延びていることを特徴とする請求項１に記載の組立式架台。
【請求項３】
前記フレーム部材が、一対の前記脚部および前記下部連結部が一体形成された左右一対の脚部材と、前記上部連結部および前記上部連結部の両端に繋がる一対の前記挟持部からなる前後一対の連結部材とから構成されることを特徴とする請求項１もしくは２に記載の組立式架台。
【請求項４】
前記脚部材の前記脚部の上端が略Ｌ字状に左右に曲げられて脚部材側接合部が形成され、
前記連結部材の前記挟持部が、前記上部連結部に対して略Ｌ字状に前後に曲げられ前記フレーム部材を左右方向に挟持可能な横挟持部と、前記横挟持部に対して略Ｌ字状に左右に曲げられ前記フレーム部材を前後方向に挟持可能な連結部材側接合部とから構成されることを特徴とする請求項３に記載の組立式架台。
【請求項５】
前記フレーム部材が、互いに他方の脚部材の側に延びる前記左右一対の脚部材の前記脚部材側接合部と、互いに他方の前記横挟持部の側に延びる前記前後一対の連結部材の前記連結部材側接合部とが接合されて形成されることを特徴とする請求項４に記載の組立式架台。
【請求項６】
前記横挟持部が前記連結部材側接合部の側から前記上部連結部の側に斜め下方に延びた状態で前記脚部材側接合部と前記連結部材側接合部とが接合されていることを特徴とする請求項５に記載の組立式架台。
【請求項７】
一方の前記横挟持部が平面視において前記脚部に対して他方の前記横挟持部側にオフセットした状態で前記脚部材側接合部と前記連結部材側接合部とが接合されていることを特徴とする請求項６に記載の組立式架台。
【考案の詳細な説明】
【技術分野】
【０００１】
本考案は、複数の脚部を有するフレーム部材からなり、このフレーム部材を複数積み重ねて組み立てられる組立式架台に関する。
【背景技術】
【０００２】
一般によく使用されている組立式パイプラック（組立式架台）は、支柱とする金属やプラスチックからなるパイプ部材に複数の棚部材を組み付けることによって多段式の棚の上に所望の物品を載置可能な構造となっており、一般家庭やオフィスだけでなく、商店などの場所で商品の陳列用としても使用されている。このような組立式パイプラックは、例えば、特許文献１にも記載があるように、棚部材の四隅にスリーブを設け、このスリーブを支柱に通して支柱の任意の位置で棚部材を固定可能になっている。そして、複数の棚部材を支柱に通して固定することによって、多段式の組立式パイプラックが組み上げられる。
【特許文献１】登録実用新案第３０９４７５４号公報
【考案の開示】
【考案が解決しようとする課題】
【０００３】
しかしながら、上記のような方式の従来の組立式パイプラックにおいては、ネジ等を使用して部材を支柱に固定するため組み立てに手間が掛かり、またそれを設置する場所を移動させる際に、段数が多くパイプラック全体の高さが高いときなど場合によっては、棚上に載置されている物品を取り除いてから組み立てられたパイプラックをネジ等の取り外しをすることによって一旦分解し、所望の位置に移動した後に再度組み立てる作業が必要であった。また、保管する場合においても、なるべく嵩張らないようにするために分解する必要があった。このように従来の場合においては、移動、保管等に煩わしい作業が必要であるため、取り扱いに不便であった。
【０００４】
以上のような課題に鑑みて、本考案は、上記従来の技術の問題点に鑑みてなされたもので、組立、移動等における取り扱いが簡単で、コンパクトな状態で保管することが可能な組立式架台を提供することを目的とする。
【課題を解決するための手段】
【０００５】
前記課題を解決するために本考案に係る組立式架台は、略上下に延びる前後左右の脚部と、脚部の下部間を互いに略平行に前後に結合する一対の下部連結部（例えば、実施形態における左側下部連結部１３および右側下部連結部２３）と、脚部の上部間を互いに略平行に左右に結合する一対の上部連結部（例えば、実施形態における前上部連結部３１および後上部連結部４１）とから構成される弾性を有する複数のフレーム部材からなり、一方のフレーム部材（例えば、実施形態における下段フレーム部材５０）の一対の上部連結部上に他方のフレーム部材（例えば、実施形態における上段フレーム部材７０）の一対の下部連結部を架け渡して載置することにより複数のフレーム部材が積み重ねられる組立式架台であって、前後左右の脚部の上部に、一方のフレーム部材上に積み重ねられた他方のフレーム部材を挟持する前後左右の挟持部が形成され、一方のフレーム部材上に他方のフレーム部材が積み重ねられた状態で、他方のフレーム部材の一対の下部連結部間の距離が短くなるように他方のフレーム部材の前後左右の脚部が弾性変形した状態で一方のフレーム部材の前後左右の挟持部により他方のフレーム部材が左右方向に挟持され、一方のフレーム部材の一対の上部連結部間の距離が長くなるように一方のフレーム部材の前後左右の脚部が弾性変形した状態で一方のフレーム部材の前後左右の挟持部により他方のフレーム部材が前後方向に挟持されることにより、他方のフレーム部材が一方のフレーム部材に固定される。
【０００６】
また、上記構成の組立式架台において、前後の脚部の上部間の長さが前後の脚部の下部間の長さよりも長くなるように、前後左右の脚部が斜め下方に延びているのが好ましい。
【０００７】
さらに、上記構成の組立式架台において、フレーム部材が、一対の脚部および下部連結部が一体形成された左右一対の脚部材（例えば、実施形態における左側脚部材１および右側脚部材２）と、上部連結部および上部連結部の両端に繋がる一対の挟持部からなる前後一対の連結部材とから構成されるのが好ましい。
【０００８】
また、上記構成の組立式架台において、脚部材の脚部の上端が略Ｌ字状に左右に曲げられて脚部材側接合部（例えば、実施形態における左前接合部１４、左後接合部１５、右前接合部２４および右後接合部２５）が形成され、連結部材の挟持部が、上部連結部に対して略Ｌ字状に前後に曲げられフレーム部材を左右方向に挟持可能な横挟持部（例えば、実施形態における左前横挟持部３２、右前横挟持部３３、左後横挟持部４２および右後横挟持部４３）と、横挟持部に対して略Ｌ字状に左右に曲げられフレーム部材を前後方向に挟持可能な連結部材側接合部（例えば、実施形態における左前前方挟持部３４、右前前方挟持部３５、左後後方挟持部４４および右後後方挟持部４５）とから構成されるのが好ましい。
【０００９】
また、上記構成の組立式架台において、フレーム部材が、互いに他方の脚部材の側に延びる左右一対の脚部材の脚部材側接合部と、互いに他方の横挟持部の側に延びる前後一対の連結部材の連結部材側接合部とが接合されて形成されるのが好ましい。
【００１０】
さらに、上記構成の組立式架台において、横挟持部が連結部材側接合部の側から上部連結部の側に斜め下方に延びた状態で脚部材側接合部と連結部材側接合部とが接合されているのが好ましい。
【００１１】
また、上記構成の組立式架台において、一方の横挟持部が平面視において脚部に対して他方の横挟持部側にオフセットした状態で脚部材側接合部と連結部材側接合部とが接合されているのが好ましい。
【考案の効果】
【００１２】
本考案に関する組立式架台によれば、いずれも同じ形状、構造を有し、弾性変形可能な複数のフレーム部材で構成され、一方のフレーム部材の上に他方のフレーム部材を載置して積み重ねることによって多段式の組立式架台が組み立てられる。このとき、一方のフレーム部材の脚部および他方のフレーム部材の脚部が弾性変形して、一方のフレーム部材の脚部に形成された挟持部が、上に積み重なった他方のフレーム部材を、その前後および左右方向に挟持することによって、他方のフレーム部材が一方のフレーム部材に対して移動しないように固定される。このように、従来のパイプラックのようなものとは異なり、複数のフレーム部材をネジ等で固定することなく積み重ねることによって、多段の組立式架台を簡単に組み立てることができる。そして、ネジ等の取り外しをすることなく簡単に複数のフレーム部材に分解することができるため、移動、保管等で、分解する必要がある場合に、フレーム部材が嵩張らず取り扱いが便利である。
【考案を実施するための最良の形態】
【００１３】
以下、本考案に係る組立式架台の実施形態について図１乃至図４を参照して説明する。図１は、本考案に係る組立式架台の一実施形態を示す斜視図で、この組立式架台８０は、いずれも同一の形状、構造を有し、いずれも弾性変形可能な３つのフレーム部材のうち、いずれかを下段フレーム部材５０、中段フレーム部材６０、上段フレーム部材７０とし、床面に置かれる下段フレーム部材５０の上に中段フレーム部材６０を載置して固定し、さらに中段フレーム部材６０の上に上段フレーム部材７０を載置して固定することで組み立てられるようになっている。
【００１４】
この組立式架台８０は、例えば図１に示すように、商品としての草花等を入れたトレー９０等を中段フレーム部材６０や上段フレーム部材７０の連結部（詳細は後述）上に載置して、店舗内や店頭における陳列用として供される。なお、図１に示す組立式架台８０は、床面に置かれるフレーム部材に２つのフレーム部材を積み重ねた状態であるが、このような実施形態に限られず、床面に置かれるフレーム部材に同一の形状、構造を有する複数のフレーム部材を３個、４個、…と積み上げる（３段式、４段式、…）ように構成してもよい。
【００１５】
組立式架台８０を構成する各フレーム部材５０，６０，７０は、図２に示すような構造を有している。ここでは、各フレーム部材５０，６０，７０の一例としてフレーム部材５０を例に説明する。
【００１６】
フレーム部材５０は、例えば、金属、ＦＲＰといった弾性変形可能な（脆くない）ものを材質としており、図３に示すような左側脚部材１および右側脚部材２並びに図４に示すような前上部連結部材３および後上部連結部材４からなる複数のパイプ部材が接合されて一体形成される。
【００１７】
フレーム部材５０は左前脚部１１、左後脚部１２、右前脚部２１および右後脚部２２からなる上下に延びる前後左右の４本の脚部を有している。また、左前脚部１１の下端部および左後脚部１２の下端部同士は、略水平の左側下部連結部１３によって前後に一体結合され、同様に、右前脚部２１の下端部および右後脚部２２の下端部同士は、略水平の右側下部連結部２３によって前後に一体結合される。すなわち、左前脚部１１および左後脚部１２の下端部は略Ｌ字形に曲げられて左側下部連結部１３に一体に繋がり、右前脚部２１および右後脚部２２の下端部は略Ｌ字形に曲げられて右側下部連結部２３に一体に繋がる。
【００１８】
なお、左前脚部１１、左後脚部１２、右前脚部２１および右後脚部２２の高さは、いずれもいずれも４３０ｍｍ程度であるが、必ずしもこのような寸法に限定されるわけではない。また、左前脚部１１右前脚部２１間の長さ、および左後脚部１２右後脚部２２間の長さは、いずれも５７０ｍｍ程度であるが、必ずしもこのような寸法に限定されるわけではない。
【００１９】
図３に示すように、左側脚部材１は、左前脚部１１、左後脚部１２、左前脚部１１左後脚部１２間を連結する左側下部連結部１３を有するほか、各脚部１１，１２の上端部がＬ字形に曲げられて各々右方に延びる左前接合部１４および左後接合部１５が形成されている。同様に、右側脚部材２は、右前脚部２１、右後脚部２２、右前脚部２１右後脚部２２間を連結する右側下部連結部２３を有するほか、各脚部２１，２２の上端部がＬ字形に曲げられて各々左方に延びる右前接合部２４および右後接合部２５が形成されている。
【００２０】
なお、左側脚部材１および右側脚部材２の直径は、いずれも１０ｍｍ程度であるが、必ずしもこのような寸法に限定されるわけではない。また、左側下部連結部１３の長さおよび右側下部連結部２３の長さは、いずれも３０５ｍｍ程度であるが、必ずしもこのような寸法に限定されるわけではない。さらに、左前接合部１４、左後接合部１５、右前接合部２４および右後接合部２５の長さは、いずれも１０９ｍｍ程度であるが、必ずしもこのような寸法に限定されるわけではない。
【００２１】
左前脚部１１および左後脚部１２の上端部間の長さは、左前脚部１１および左後脚部１２の下端部間の長さ（左側下部連結部１３の長さに相当する）よりも長くなっている。すなわち、左前脚部１１および左後脚部１２は、下方に向うにつれて互いの距離が短くなるように斜めに延びている（図３（ｃ）参照）。同様に、右前脚部２１および右後脚部２２の上端部間の長さは、右前脚部２１および右後脚部２２の下端部間の長さ（右側下部連結部２３の長さに相当する）よりも長くなっている。すなわち、右前脚部２１および右後脚部２２は、下方に向うにつれて互いの距離が短くなるように斜めに延びている（図３（ｃ）参照）。
【００２２】
このように、各脚部１１，１２，２１，２２が斜め下方に延びていることで、フレーム部材を他のフレーム部材に載置した場合に、他のフレーム部材の後述する挟持部により挟持され易く、フレーム部材を他のフレーム部材にしっかりと固定することが可能である。
【００２３】
なお、左前脚部１１および左後脚部１２の上端部間の長さは、３３０ｍｍ程度であるが、必ずしもこのような寸法に限定されるわけではない。同様に、右前脚部２１および右後脚部２２の上端部間の長さは、３３０ｍｍ程度であるが、必ずしもこのような寸法に限定されるわけではない。
【００２４】
図４（ｂ）に示すように、前上部連結部材３は、左右に延びる前上部連結部３１の両端部が各々Ｌ字形に曲げられて前方に延びる左前横挟持部３２、右前横挟持部３３と、左前横挟持部３２部がさらにＬ字形に曲げられて右方に延びる左前前方挟持部３４と、右前横挟持部３３がさらにＬ字形に曲げられて左方に延びる右前前方挟持部３５とを有している。また、図４（ａ）に示すように後上部連結部材４は、左右に延びる後上部連結部４１の両端部が各々Ｌ字形に曲げられて後方に延びる左後横挟持部４２、右後横挟持部４３と、左後横挟持部４２がさらにＬ字形に曲げられて右方に延びる左後後方挟持部４４と、右後横挟持部４３がさらにＬ字形に曲げられて左方に延びる右後後方挟持部４５とを有している。
【００２５】
なお、前上部連結部材３および後上部連結部材４の直径は、いずれも８ｍｍ程度であるが、必ずしもこのような寸法に限定されるわけではない。また、前上部連結部３１および後上部連結部４１の長さは、いずれも５４５ｍｍ程度で、左前横挟持部３２、右前横挟持部３３、左後横挟持部４２、右後横挟持部４３の長さは、いずれも１０３ｍｍ程度であり、左前前方挟持部３４、右前前方挟持部３５、左後後方挟持部４４、右後後方挟持部４５の長さは、いずれも９５ｍｍ程度であるが、必ずしもこのような寸法に限定されるわけではない。
【００２６】
一個のフレーム部材５０は、上記のような、左側脚部材１、右側脚部材２、前上部連結部材３および後上部連結部材４は接合されてこれらが一体化したもので構成される。フレーム部材５０においては、左側脚部材１の左前接合部１４および前上部連結部材３の左前前方挟持部３４が接合され、左側脚部材１の左後接合部１５および後上部連結部材４の左後後方挟持部４４が接合されている。また、右側脚部材２の右前接合部２４および前上部連結部材３の右前前方挟持部３５が接合され、右側脚部材２の右後接合部２５および後上部連結部材４の右後後方挟持部４５が接合されている。
【００２７】
前上部連結部材３は、その左前横挟持部３２および右前横挟持部３３が略水平になるように左側脚部材１および右側脚部材２に対して接合されているわけではなく、前上部連結部３１が左前前方挟持部３４および右前前方挟持部３５に対して低くなるように、左前横挟持部３２および右前横挟持部３３が斜めに傾いている（図２（ｃ）参照）。同様に、後上部連結部材４は後上部連結部４１が左後後方挟持部４４および右後後方挟持部４５に対して低くなるように、左後横挟持部４２および右後横挟持部４３が斜めに傾いている（図２（ｃ）参照）。
【００２８】
なお、左前脚部１１および左前横挟持部３２のなす角度並びに右前脚部２１および右前横挟持部３３のなす角度はいずれも５５°程度であるが、必ずしもこの角度に限定されるわけではない。また、左後脚部１２および左後横挟持部４２のなす角度並びに右後脚部２２および右後横挟持部４３のなす角度はいずれも５５°程度であるが、必ずしもこの角度に限定されるわけではない。
【００２９】
以上のように構成されるフレーム部材５０は、左前脚部１１右前脚部２１間の距離および左後脚部１２右後脚部２２間の距離が各々短くなる方向に（左側下部連結部１３および右側下部連結部２３間の距離が短くなる方向に）、すなわち、図２（ｂ）において矢印Ａ方向に、左前脚部１１、右前脚部２１、左後脚部１２および右後脚部２２を弾性変形させることが可能である。また、フレーム部材５０は、前上部連結部３１後上部連結部４１間の距離が長くなる方向に、すなわち、図２（ｃ）において矢印Ｂ方向に、左前脚部１１、右前脚部２１、左後脚部１２および右後脚部２２を弾性変形させることが可能である。
【００３０】
下段フレーム部材５０の上に上段フレーム部材７０を積み重ねて１つの組立式架台８０とするには、床面上に置かれた下段フレーム部材５０の左前脚部１１、右前脚部２１、左後脚部１２および右後脚部２２を矢印Ｂ方向に弾性変形させ、上段フレーム部材７０を下段フレーム部材５０と同じ向きにした状態で、上段フレーム部材７０の左側下部連結部１３および右側下部連結部２３を下段フレーム部材５０の前上部連結部３１および後上部連結部４１の上に架け渡すようにする。
【００３１】
このとき、上段フレーム部材７０の左前脚部１１、右前脚部２１、左後脚部１２および右後脚部２２を矢印Ａ方向（図２（ｂ）参照）を弾性変形させた状態で、上段フレーム部材７０の左前脚部１１、右前脚部２１、左後脚部１２および右後脚部２２を、各々下段フレーム部材５０の左前横挟持部３２、右前横挟持部３３、左後横挟持部４２および右後横挟持部４３の内側に当接させ、上段フレーム部材７０の左側下部連結部１３を下段フレーム部材５０の左前横挟持部３２および左後横挟持部４２に当接させ、上段フレーム部材７０の右側下部連結部２３を下段フレーム部材５０の右前横挟持部３３および右後横挟持部４３の内側に当接させるようにする。
【００３２】
また、下段フレーム部材５０の左前脚部１１、右前脚部２１、左後脚部１２および右後脚部２２を矢印Ｂ方向（図２（ｃ）参照）に弾性変形させた状態で、上段フレーム部材７０の左前脚部１１、右前脚部２１、左後脚部１２および右後脚部２２を、各々下段フレーム部材５０の左前前方挟持部３４、右前前方挟持部３５、左後後方挟持部４４および右後後方挟持部４５の内側に当接させるようにする。
【００３３】
下段フレーム部材５０の上に上段フレーム部材７０が載置された状態では、上段フレーム部材７０の左前脚部１１、右前脚部２１、左後脚部１２および右後脚部２２に当接する下段フレーム部材５０の左前横挟持部３２、右前横挟持部３３、左後横挟持部４２および右後横挟持部４３によって、上段フレーム部材７０の左前脚部１１右前脚部２１間および左後脚部１２右後脚部２２間が広がらないように上段フレーム部材７０が挟持され、上段フレーム部材７０が下段フレーム部材５０に対し左右方向に移動しないように固定される。
【００３４】
また、下段フレーム部材５０の上に上段フレーム部材７０が載置された状態では、上段フレーム部材７０の左前脚部１１、右前脚部２１、左後脚部１２および右後脚部２２に当接する下段フレーム部材５０の左前前方挟持部３４、左後後方挟持部４４、右前前方挟持部３５および右後後方挟持部４５によって上段フレーム部材７０が前後方向に挟持され、上段フレーム部材７０が下段フレーム部材５０に対し前後方向に移動しないように固定される。このようにして、下段フレーム部材５０の上に積み重ねされた上段フレーム部材７０が下段フレーム５０から落ちないように固定される。
【００３５】
なお、左前横挟持部３２が平面視において左側脚部材１に対して右前横挟持部３３の側にオフセットした状態で、左前接合部１４および左前前方挟持部３４が接合されている（図２（ａ），（ｂ）参照）。同様に、右前横挟持部３３が平面視において右側脚部材２に対して左前横挟持部３２の側にオフセットした状態で、右前接合部２４および右前前方挟持部３５が接合されている（図２（ａ），（ｂ）参照）。また、左後横挟持部４２が平面視において左側脚部材１に対して右後横挟持部４３の側にオフセットした状態で、左後接合部１５および左後後方挟持部４４が接合されている。さらに、右後横挟持部４３が平面視において右側脚部材２に対して左後横挟持部４２の側にオフセットした状態で、右後接合部２５および右後後方挟持部４５が接合されている。
【００３６】
このような、左前横挟持部３２、右前横挟持部３３、左後横挟持部４２および右後横挟持部４３のオフセット構造により、下段フレーム部材５０の上に上段フレーム部材７０を載置した場合に、上段フレーム部材７０の左前脚部１１、右前脚部２１、左後脚部１２および右後脚部２２の図２（ｂ）における矢印Ａ方向への弾性変形が保持された状態で、下段フレーム部材５０が上段フレーム部材７０を挟持することができるような構成になっている。オフセットの長さは、各々１４ｍｍ程度であるが、必ずしもこの長さに限られるわけではない。
【００３７】
なお、上記のようにして下段フレーム部材５０の上に上段フレーム部材７０を載置することで組み立てられた組立式架台８０は、移動、保管等により分解する必要が生じた場合であっても、簡単に下段フレーム部材５０および上段フレーム部材７０からなる複数の部材に分解することが可能である。すなわち、下段フレーム部材５０によって上段フレーム部材７０が固定されている状態から、上段フレーム部材７０の左前脚部１１、右前脚部２１、左後脚部１２および右後脚部２２を図２（ｂ）における矢印Ａ方向に弾性変形させ、下段フレーム部材５０の左前脚部１１、右前脚部２１、左後脚部１２および右後脚部２２を図２（ｃ）における矢印Ｂ方向に弾性変形させて、上段フレーム部材７０を下段フレーム部材５０から抜き上げれば、組立式架台８０を下段フレーム部材５０および上段フレーム部材７０からなる２つの部材に簡単に分解することができる。
【００３８】
これまで、下段フレーム部材５０の上に上段フレーム部材７０を載せた組立式架台８０を例に、本考案に係る組立式架台８０を説明したが、下段フレーム部材５０の上に中段フレーム部材６０を載せ、さらに中段フレーム部材６０の上に上段フレーム部材７０を載せた組立式架台８０や、４個以上のフレーム部材を積層させて組み立てた多段式の組立式架台についても、その組立構成は上記の実施例と同様である。
【図面の簡単な説明】
【００３９】
【図１】本考案に係る組立式架台を示す斜視図である。
【図２】上記組立式架台を構成するフレーム部材を示す図で、（ａ）はその平面図で、（ｂ）はその正面図で、（ｃ）はその右側面図である。
【図３】上記フレーム部材を構成する右側脚部材を示す図で、（ａ）はその平面図で、（ｂ）はその正面図で、（ｃ）はその右側面図である。
【図４】上記フレーム部材を構成する上部連結部材を示す図で、（ａ）は後上部連結部材で、（ｂ）は前上部連結部材である。
【符号の説明】
【００４０】
１  左側脚部材（脚部材）
１１  左前脚部
１２  左後脚部
１３  左側下部連結部（下部連結部）
１４  左前接合部（脚部材側接合部）
１５  左後接合部（脚部材側接合部）
２  右側脚部材（脚部材）
２１  右前脚部
２２  右後脚部
２３  右側下部連結部（下部連結部）
２４  右前接合部（脚部材側接合部）
２５  右後接合部（脚部材側接合部）
３  前上部連結部材
３１  前上部連結部（上部連結部）
３２  左前横挟持部（横挟持部）
３３  右前横挟持部（横挟持部）
３４  左前前方挟持部（連結部材側接合部）
３５  右前前方挟持部（連結部材側接合部）
４  後上部連結部材
４１  後上部連結部（上部連結部）
４２  左後横挟持部（横挟持部）
４３  右後横挟持部（横挟持部）
４４  左後後方挟持部（連結部材側接合部）
４５  右後後方挟持部（連結部材側接合部）
５０  下段フレーム部材（一方のフレーム部材）
６０  中段フレーム部材
７０  上段フレーム部材（他方のフレーム部材）
８０  組立式架台
【図１】
0003116892.tif 000003
【図２】
0003116892.tif 000004
【図３】
0003116892.tif 000005
【図４】
0003116892.tif 000006